(57)【特許請求の範囲】
【請求項１】
複数の障子を、面外方向に隣接して面内方向に移動自在に吊り下げ支持した上吊り式引戸タイプの建具であって、
前記障子の下框は、下面に開口した凹陥部を長手方向全長に有し、
前記隣接した２つの障子の一方の障子の下框の側面に、下向きで障子の面内方向全長とほぼ同じ長さの案内溝を有したガイドレールを取り付け、
前記隣接した２つの障子の他方の障子の下框の凹陥部内における面内方向一方端部に、取付部とガイドレールの案内溝の長さよりも短い長さのガイド片を有したガイドの取付部を、そのガイド片を、下框の面内方向一方端部において、下框の側面から面外方向に張り出して上向きとなるように取り付け、
このガイド片を、前記ガイドレールの案内溝に沿って面内方向に移動自在とし、他方の障子の面内方向一方端を一方の障子に沿って面内方向に移動自在に支承し、
前記一方の障子の下框の面内方向他方端部にガイド部材の取付部を、ガイド部材のガイド部が下框の面内方向他端部において、下框の側面から面外方向に張り出して上向きとなるように取り付け、そのガイド部材のガイド部を、前記他方の障子の下框の凹陥部に沿って面内方向に移動自在とし、一方の障子の面内方向他端部を他方の障子に沿って面内方向に移動自在に支承し、
前記２つの障子の一方の障子における他方の障子と面外方向の反対側に隣接した他の障子は、その下框の側面に、下向きで障子の面内方向全長とほぼ同じ長さの案内溝を有したガイドレールを取り付け、
前記一方の障子の下框の凹陥部内における面内方向一方端部に、取付部とガイドレールの案内溝の長さよりも短い長さのガイド片を有したガイドの取付部を、そのガイド片を、下框の面内方向一方端部において、下框の側面から面外方向に張り出して上向きとなるように取り付け、
このガイド片を、前記他の障子のガイドレールの案内溝に沿って面内方向に移動自在とし、一方の障子の面内方向一方端を他の障子に沿って面内方向に移動自在に支承し、
前記他の障子の下框の面内方向他方端部にガイド部材の取付部を、ガイド部材のガイド部が下框の面内方向他端部において、下框の側面から面外方向に張り出して上向きとなるように取り付け、そのガイド部材のガイド部を、前記一方の障子の下框の凹陥部に沿って面内方向に移動自在とし、他の障子の面内方向他端部を一方の障子に沿って面内方向に移動自在に支承し、
前記他の障子の下框を面内方向に移動自在に案内する床固定ガイドを設けたことを特徴とする建具。
【請求項２】
前記ガイドレールは、一側縦片と、この一側縦片の上端部と連続した面外方向に向かう横向片と、この横向片の面外方向の端部と連続した下向きの他側縦片を有し、その一側縦片の上部寄りと横向片と他側縦片でほぼ下向きコ字形状の案内溝を形成し、前記一側縦片の下部寄りを障子の下框の側面に固着具で固着して取り付け、
前記ガイドのガイド片を、前記一側縦片と他側縦片との間に挿入した請求項１記載の建具。
【請求項３】
前記障子の戸先部に磁石を取り付け、
前記障子の戸先部が当接する戸当り部に、吸磁性のプレートを取り付け、
前記障子閉じ状態で磁石とプレートが接し、障子の戸先部を磁石の吸着力によって戸当り部で保持するようにした請求項１又は２記載の建具。
【発明の詳細な説明】
【技術分野】
【０００１】
本発明は、複数の障子を面内方向に移動可能に吊り下げ支持した上吊り式引戸タイプの建具に関する。
【背景技術】
【０００２】
従来、複数の障子を移動可能に吊り下げ支持した上吊り式引戸タイプの建具においては、障子を開閉移動する際に障子下部が移動方向と直角方向（面外方向）に揺れ動くので、床面に下レールを設け、その下レールで障子下部の揺れ動きを規制したり、床にマグネット等を取り付けし、障子下部の揺れ動きを抑制したりしているが、前述の建具は、床にレールやマグネット等を取り付けるので施工性が悪く、下レールやマグネットなどが見えるので外観が悪くなる。しかも、その下レールやマグネット等が床面を歩行する人のつまずきの原因となる懸念があり、安全上問題があるので、床面に下レールやマグネットを設けることなく、障子開閉移動時に障子下部の揺れ動きを規制するようにした上吊り式引戸タイプの建具が提案されている。
【０００３】
例えば、特許文献１に開示したように、隣接した一方の障子（引戸）の下框にローラーケースを取り付け、隣接した他方の障子（引戸）の下框にローラを取り付け、このローラをローラーケースのローラー溝に挿入することで、隣接した２つの障子の下部を面内方向に移動可能に連結し、障子開閉移動時に障子下部の揺れ動きを規制するようにした上吊り式引戸タイプの第１の建具が提案されている。
また、特許文献２に開示されたように、障子下面に案内溝を形成し、隣接した一方の障子に取り付けたガイド片を隣接した他方の障子の案内溝に沿って面内方向に移動自在とすることで、隣接した２つの障子の下部を面内方向に移動可能に連結し、障子開閉移動時に障子下部の揺れ動きを規制するようにした上吊り式引戸タイプの第２の建具が提案されている。
【先行技術文献】
【特許文献】
【０００４】
【特許文献１】実公昭５４−７８９０号公報
【特許文献２】特許第２８６３１３６号公報
【発明の概要】
【発明が解決しようとする課題】
【０００５】
前述した第１の建具、第２の建具であれば、床に下レールやマグネットを取り付けしていないので、施工性が向上すると共に、外観が美しく、安全性が向上する。
しかしながら、前述した第１の建具であると、ローラケース、ローラ自体の面外方向の寸法が大きく、そのローラケース、ローラが下框の側面にそれぞれ取り付けてあるので、隣接した２つの障子の面外方向の間隔が広くなってしまう。
前述した第２の建具であると、障子が、その下面に案内溝を有する特殊な形状で、汎用的な障子を用いることができない。
【０００６】
本発明の目的は、施工性が向上し、外観が美しく、安全性が向上し、隣接した２つの障子の下部を面内方向に移動可能に連結できると共に、隣接した２つの障子の面外方向の間隔を狭くでき、しかも汎用的な障子を用いることができるようにした上吊り式引戸タイプの建具とすることである。
【課題を解決するための手段】
【０００７】
本発明は、複数の障子を、面外方向に隣接して面内方向に移動自在に吊り下げ支持した上吊り式引戸タイプの建具であって、
前記障子の下框は、下面に開口した凹陥部を長手方向全長に有し、
前記隣接した２つの障子の一方の障子の下框の側面に、下向きで障子の面内方向全長とほぼ同じ長さの案内溝を有したガイドレールを取り付け、
前記隣接した２つの障子の他方の障子の下框の凹陥部内における面内方向一方端部に、取付部とガイドレールの案内溝の長さよりも短い長さのガイド片を有したガイドの取付部を、そのガイド片を、下框の面内方向一方端部において、下框の側面から面外方向に張り出して上向きとなるように取り付け、
このガイド片を、前記ガイドレールの案内溝に沿って面内方向に移動自在とし、他方の障子の面内方向一方端を一方の障子に沿って面内方向に移動自在に支承し、
前記一方の障子の下框の面内方向他方端部にガイド部材の取付部を、ガイド部材のガイド部が下框の面内方向他端部において、下框の側面から面外方向に張り出して上向きとなるように取り付け、そのガイド部材のガイド部を、前記他方の障子の下框の凹陥部に沿って面内方向に移動自在とし、一方の障子の面内方向他端部を他方の障子に沿って面内方向に移動自在に支承し、
前記２つの障子の一方の障子における他方の障子と面外方向の反対側に隣接した他の障子は、その下框の側面に、下向きで障子の面内方向全長とほぼ同じ長さの案内溝を有したガイドレールを取り付け、
前記一方の障子の下框の凹陥部内における面内方向一方端部に、取付部とガイドレールの案内溝の長さよりも短い長さのガイド片を有したガイドの取付部を、そのガイド片を、下框の面内方向一方端部において、下框の側面から面外方向に張り出して上向きとなるように取り付け、
このガイド片を、前記他の障子のガイドレールの案内溝に沿って面内方向に移動自在とし、一方の障子の面内方向一方端を他の障子に沿って面内方向に移動自在に支承し、
前記他の障子の下框の面内方向他方端部にガイド部材の取付部を、ガイド部材のガイド部が下框の面内方向他端部において、下框の側面から面外方向に張り出して上向きとなるように取り付け、そのガイド部材のガイド部を、前記一方の障子の下框の凹陥部に沿って面内方向に移動自在とし、他の障子の面内方向他端部を一方の障子に沿って面内方向に移動自在に支承し、
前記他の障子の下框を面内方向に移動自在に案内する床固定ガイドを設けたことを特徴とする建具である。
【０００８】
本発明においては、前記ガイドレールは、一側縦片と、この一側縦片の上端部と連続した面外方向に向かう横向片と、この横向片の面外方向の端部と連続した下向きの他側縦片を有し、その一側縦片の上部寄りと横向片と他側縦片でほぼ下向きコ字形状の案内溝を形成し、前記一側縦片の下部寄りを障子の下部の側面に固着具で固着して取り付け、
前記ガイドのガイド片を、前記一側縦片と他側縦片との間に挿入することができる。
このようにすれば、ガイドレールの面外方向寸法をより小さくできるから、隣接した２つの障子の面外方向の間隔をより狭くできる。
しかも、ガイドレールを障子の下部に簡単に取り付けできる。
【００１１】
本発明においては、前記障子の戸先部に磁石を取り付け、
前記障子の戸先部が当接する戸当り部に、吸磁性のプレートを取り付け、
前記障子閉じ状態で磁石とプレートが接し、障子の戸先部を磁石の吸着力によって戸当り部で保持するようにできる。
このようにすれば、障子を閉じたときに風などで障子が揺れ動くことを規制できる。
【発明の効果】
【００１２】
本発明によれば、ガイドレールとガイドによって隣接した２つの障子の他方の障子の下框の面内方向一方端部を、一方の障子の下框の面内方向に移動可能に連結し、一方の障子の下框の面内方向他方端部を他方の障子の下框の面内方向に移動自在に連結しているから、床にレールやマグネットを取り付けることなく、開閉移動時に障子下部の揺れ動きを規制でき、施工性が向上し、外観が美しく、安全性が向上する。
また、隣接した２つの障子の他方の障子の下框の面内方向一方端部、一方の障子の下框の面内方向他方端部が一方の障子の下框、他方の障子の下框の面内方向に移動可能にそれぞれ連結されるので、障子開閉移動時に隣接した２つの障子の下部が揺れ動くことを確実に規制できる。
前記ガイドレールの面外方向の寸法を小さくできると共に、ガイドのガイド片はガイドレールと障子の下部側面との間には入り込まないので、隣接した２つの障子の面外方向の間隔を狭くできる。
しかも、ガイドレール、ガイドは障子の下部、下面にそれぞれ取り付けたので、障子の下部、下面の形状に制約を受けうることはなく、汎用的な障子を用いることができる。
【図面の簡単な説明】
【００１３】
【図１】上吊り式引戸タイプの建具の概略内観図である。
【図２】図１のＡ−Ａ拡大断面図である。
【図３】障子下部の連結部を示す詳細横断面図である。
【図４】ガイドレールとガイドの取付部を示す詳細縦断面図である。
【図５】ガイドレールとガイドの斜視図である。
【図６】ガイドの拡大平面図である。
【図７】ガイド部材の取付部を示す詳細縦断面図である。
【図８】障子の戸当り部分の拡大横断面図である。
【発明を実施するための形態】
【００１４】
図１と図２に示すように、枠体１の上枠１０に複数の障子、例えば、第１障子２、第２障子３、第３障子４を面内方向に移動自在に吊り下げ支持すると共に、前記第１障子２が面外方向一側に位置し、第２障子３が面外方向中間に位置し、第３障子４が面外方向他側に位置して第１・第２・第３障子２，３，４は面外方向に隣接し、上吊り式引戸タイプの建具としてある。
前記枠体１は、上枠１０と左右一方の縦枠１１を備え、この枠体１と床面１２と壁体１３とで開口部１４を形成している。
そして、第１・第２・第３障子２，３，４を図２で実線で示す位置として開口部１４を閉じ、第１・第２・第３障子２，３，４を図２で仮想線で示す位置として開口部１４を開放する。
前記床面１２には第１障子２の下部を面内方向に移動自在に案内する床固定ガイド１５が取り付けてある。
この実施の形態は室内の間仕切りとしてあるが、これに限ることはない。
【００１５】
前記第１・第２・第３障子２，３，４は、下框２０と上框２１と面内方向一方の縦框２２と面内方向他方の縦框２３を方形状に連結し、その内部にガラス等のパネル２４が装着してある。
前述の図１、図２は概略的に図示してあり、図３以降に示す具体例とは形状、寸法などが異なることがある。
【００１６】
前述の上吊り式引戸タイプの建具は前述のものに限ることはなく、枠体１は上枠と左右の縦枠と下枠を有する矩形状でも良いし、上枠と左右の縦枠で下向きコ字形状とし、床面とで開口部を形成しても良く、さらには上枠のみとし、壁体の左右の縦面と床面で開口部を形成するようにしても良い。
また、障子の吊り下げ構造は、従来から知られている種々の吊り下げ構造とすることができる。
また、障子は框を用いたものに限ることはなく、任意の障子、例えばパネルタイプの障子を用いることができる。
【００１７】
前述の上吊り式引戸タイプの建具であると、障子を開閉移動するときに障子下部が面外方向に揺れ動くので、図３に示すように隣接した２つの障子の一方の障子の下部、例えば第１障子２の下框２０、第２障子３の下框２０にガイドレール５をそれぞれ取り付けると共に、他方の障子の下部、例えば第２障子３の下框２０、第３障子４の下框２０にガイド６をそれぞれ取り付け、その各ガイド６を各ガイドレール５に沿って面内方向にスライド可能に支承することで、隣接した２つの障子の下部、例えば第１障子２の下部と第２障子３の下部、第２障子３の下部と第３障子４の下部を面内方向に移動可能に連結している。
【００１８】
前記ガイドレール５は図４に示すように、下框２０の側面２０ａ（つまり、障子の下部）に固着具５ａで固着して取り付け、下向きの案内溝５ｂを有し、その案内溝５ｂは障子の面内方向全長とほぼ同じ長さ、つまり、案内溝５ｂは障子の移動範囲に亘って面内方向に連続する。
前記ガイド６は取付部６ａとガイド片６ｂを有し、その取付部６ａを下框２０の下面２０ｂ（障子の下面）に固着具６ｃで固着して取り付けてガイド片６ｂを側面２０ａから面外方向に張り出して上向きとする。そのガイド片６ｂがガイドレール５の案内溝５ｂに沿って面内方向に移動自在としてある。
【００１９】
このようであるから、ガイドレール５の案内溝５ｂはガイド片６ｂの厚さ（面外方向の寸法）に見合う幅狭い（面外方向の開口幅が小さい）大きさで、ガイドレール５の面外方向の寸法が小さい。
しかも、その案内溝５ｂにガイド６のガイド片６ｂが挿入し、そのガイド片６ｂはガイドレール５と下框２０の側面２０ａとの間に入り込むことがなく、隣接した２つの下框２０の面外方向の間隔はガイドレール５の面外方向寸法に見合う小さい値である。
したがって、隣接した２つの障子の面外方向の間隔を狭くできる。
例えば、第１障子２と第２障子３の面外方向の間隔、第２障子３と第４障子４の面外方向の間隔をそれぞれ狭くできる。
【００２０】
前記ガイドレール５を下框２０の側面２０ａ（障子の下部）に取り付け、ガイド６を下框２０の下面２０ｂ（障子の下面）に取り付けしたので、このガイドレール５、ガイド６のために下框２０の形状に制約を受けることがなく、汎用的な下框２０を用いることができる。
したがって、汎用的な障子を用いることができる。
【００２１】
次に、前記ガイドレール５、ガイド６を詳細に説明する。
前記下框２０は図４に示すように、面外方向一側の一側縦板２５と他側の他側縦板２６を連結板２７で一体に連結し、下面に開口した凹陥部２８を有する断面形状の長尺材である。
前記他側縦板２６の表面が前述の下框２０の側面２０ａで、凹陥部２８の底面（連結板２７）が前述の下框２０の下面２０ｂである。
【００２２】
前記ガイドレール５は図４、図５に示すように、一側縦片５０と、この一側縦片５０の上端部と連続した面外方向に向かう横向片５１と、この横向片５１の面外方向の端部と連続した下向きの他側縦片５２で断面ほぼ下向きコ字形状の長尺材で、その他側縦片５２と横向片５１と一側縦片５０の上部寄りでほぼ下向きコ字形状の案内溝５ｂを形成している。
前記他側縦片５２は一側縦片５０よりも短く、その一側縦片５０の他側縦片５２よりも下方の下部寄りに孔５３を形成し、この孔５３から固着具５ａを障子の下部の側面、例えば下框２０の他側縦板２６に螺合してガイドレール５を取り付けている。
【００２３】
前記ガイド６の取付部６ａは図４〜図６に示すように、取付横片６０と、この取付横片６０の面外方向一端縁と連続した下向片６１と、この下向片６１の下端縁と連続した面外方向に向かう下横片６２でほぼクランク形状で、その下横片６２の端縁にガイド片６ｂが上向きに設けてある。
そして、取付横片６０を連結板２７に固着具６ｃで固着して取り付けることで、下横片６２が下框２０の一側縦板２５を越えて下框２０の側面よりも面外方向一側に張り出し、ガイド片６ｂがガイドレール５の案内溝５ｂ内にスライド自在に係止する。
【００２４】
このようであるから、ガイドレール５の面外方向の寸法は、一側縦板５０の厚さ、横向片５１の面外方向寸法（ガイド片６ｂの厚さ）、他側縦片５２の厚さの和であるから、そのガイドレール５の面外方向寸法をより小さくできる。
したがって、隣接した２つの障子の面外方向の間隔をより狭くできる。
しかも、ガイドレール５の一側縦片５０から固着具５ａを下框２０の他側縦板２６（障子の下部の側面）に固着することでガイドレール５を取り付けできるから、そのガイドレール５を簡単に取り付けできる。
【００２５】
前記ガイド片６ｂの面内方向の長さは前述の案内溝５ｂの長さよりも短く、前記取付横片６０の面内方向長さはガイド片５ｂの面内方向の長さよりも長い。
したがって、ガイド６を下框２０にしっかりと取り付けできると共に、ガイドレール５の案内溝５ｂとガイド片６ｂの接触面積を小さくしてスムーズに面内方向に移動できるようにしてある。
【００２６】
図３に示すように、前記ガイド６は第２障子３、第３障子４の面内方向一方端部にそれぞれ取り付けてあるので、第２障子３の面内方向一方端部が第１障子２に面内方向に移動可能に連結されるが、第２障子３の面内方向他方端部は第１障子２に連結されずに不安定であるから揺れ動くことがあると共に、第３障子４の面内方向一方端部が第２障子３に面内方向に移動可能に連結されるが、第３障子４の面内方向他方端部は第２障子３に連結されずに不安定であるから揺れ動くことがある。
要するに、前述したようにガイドレール５とガイド６によって面外方向に隣接した２つの障子の他方の障子の面内方向一方端部を一方の障子に面内方向に移動可能に連結したのでは、障子の揺れ動きを確実に規制できないことがある。
【００２７】
そこで、図３に示すように第１障子２、第２障子３、つまり隣接した２つの障子の一方の障子の下部（下框２０）における面内方向他方端部にガイド部材７の取付部７ａを取り付け、このガイド部材７のガイド部７ｂを前記第２障子３、第３障子４、つまり隣接した２つの障子の他方の障子の下框２０の凹陥部２８に沿って面内方向に移動可能に支承し、第１障子２、第２障子３の面内方向他方端部を第２障子３、第３障子４に面内方向に移動可能に連結してある。
【００２８】
このようにすることで、第１障子２と第２障子３、第２障子３と第３障子４、つまり隣接した２つの障子の下部が揺れ動くことを確実に規制できる。
【００２９】
前記ガイド部材７の取付部７ａは、図３と図７に示すように取付横片７０と、この取付横片７０の面外方向他端縁と連続した垂下片７１と、この垂下片７１の下端縁と連続した面外方向に向かう張出し横片７２でほぼクランク形状で、その張出し横片７２の先端部にガイド部７ｂが取り付けてある。
そして、取付横片７０を下框２０の凹陥部２８の底面（連結板２７）に固着具７３で固着して取り付け、その張出し横片７２が下框２０の側面から面外方向に張り出して隣接した他方の障子の凹陥部２８と対向し、その凹陥部２８にガイド部７ｂが面内方向に移動自在に挿入している。
前記ガイド部７ｂはブロック形状であるが、ローラ形状でも良いし、円、または球形状の回転子とし、回転することにより障子の摺動性を向上し、スムーズに開閉できるようにしても良い。
【００３０】
図３に示すように、面外方向の中間に位置する第２障子３の面内方向一端寄りにガイド６が取り付けてあり、そのガイド６のガイド片６ｂが面外方向の一側に隣接した第１障子２のガイドレール５の案内溝５ｂに接し、その第２障子３の面内方向一端寄りで面外方向一側が第１障子２に移動自在に連結され、前記第２障子３の面内方向他端寄りにガイド部材７が取り付けてあり、そのガイド部７ｂが面外方向の他側に隣接した第３障子４の下框２０の凹陥部２８に挿入して、その第２障子３の面内方向他端寄りで面外方向他側が第３障子４に移動自在に連結されている。
【００３１】
しかも、第１障子２の面内方向他端寄りに取り付けたガイド部材７のガイド部７ｂが第２障子３の下框２０の凹陥部２８に挿入して、第１障子２の面内方向他端寄りで面外方向他側が第２障子３に移動自在に連結され、第３障子４の面内方向一端寄りに取り付けたガイド６のガイド片６ｂが第２障子３に取り付けたガイド５の案内溝５ｂに接し、第３障子４の面内方向一端寄りで面外方向一側が第２障子３に移動自在に連結されている。
【００３２】
このように、隣接した障子は面外方向一端寄りと面内方向他端寄りで相互に移動自在に連結されていると共に、その２つの連結部は面外方向に位置がずれているから、障子下部の揺れ動きを確実に規制できる。
【００３３】
図２に示すように、障子閉じ状態で第３障子４の面内方向他方の縦框２３が縦枠１１に当接するので、この第３障子４の面内方向他方の縦框２３が障子の戸先部で、縦枠１１が戸当り部である。
図８に示すように、前記戸先部となる縦框２３には磁石８０が取り付けてある。例えば、縦框２３の戸当り気密材８１が装着された端面板８２の下部寄りに取付用穴を形成し、その取付用穴に磁石８０を取り付ける。
前記戸当り部となる縦枠１１に、鉄板などの吸磁性のプレート８３を取り付け、障子を閉じたときに磁石８０がプレート８３に吸着するようにしてある。
【００３４】
このようであるから、障子閉じ状態で磁石８０の吸着力で縦框２３（戸先部）を縦枠１１（戸当り部）に動かないように保持できるので、障子を閉じたときに風などで障子が揺れ動くことを規制できる。
【００３７】
前述の実施の形態では３つの障子を有した建具としてあるが、４つ以上の障子を有する建具とすることができるし、２つの障子を有した建具とすることもできる。
【符号の説明】
【００３８】
１…枠体、２…第１障子、３…第２障子、４…第３障子、５…ガイドレール、５ｂ…案内溝、６…ガイド、６ａ…取付部、６ｂ…ガイド片、７…ガイド部材、７ａ…取付部、７ｂ…ガイド部、１０…上枠、１１…縦枠（戸当り部）、２０…下框、２２…縦框（戸先部）、２５…一側縦板、２６…他側縦板、２７…連結板、２８…凹陥部。
【図１】
0005550065.tif 000002
【図２】
0005550065.tif 000003
【図３】
0005550065.tif 000004
【図４】
0005550065.tif 000005
【図５】
0005550065.tif 000006
【図６】
0005550065.tif 000007
【図７】
0005550065.tif 000008
【図８】
0005550065.tif 000009